(57)【特許請求の範囲】
【請求項１】
冷蔵庫内の上部に設置されて下方へ傾斜する露受け皿と、同露受け皿の下端部のほぼ全幅にわたって延び、かつ、上記下端部からさらに下方へ傾斜して下部が上記冷蔵庫の内壁面に当接する接続部材とを有する露受け装置。
【請求項２】
請求項１において、上記接続部材の下部が上記内壁面に対して弾力的に当接する露受け装置。
【請求項３】
請求項１において、上記接続部材の下部が上記内壁面に固定されて、上記露受け皿の下端部が上記接続部材により支持された露受け装置。
【請求項４】
請求項１〜請求項３のいずれかにおいて、上記接続部材に切れ目または窓が設けられた露受け装置。
【発明の詳細な説明】
【０００１】
【発明の属する技術分野】
本発明は、高湿度貯蔵庫等の冷蔵庫において、庫内上部に設置される露受け装置の構成に関する。
【０００２】
【従来の技術】
高湿度貯蔵庫における従来の露受け装置は、実開平１−１５１１８３号公報や特開平３−１９５８８３号公報に例示されているように、後下方へ傾斜する露受け皿が庫内上部に設置され、庫内頂面から滴下する結露水を受け止めて庫内後方へ導くと共に、露受け皿の下面に生じた結露水をも庫内後方へ導くことができるが、露受け皿の後端と庫内壁面との間に隙間が形成されているため、露受け皿の後端まで流れた結露水はその後端から順次滴下する結果、庫内壁面に比較的近接して露受け皿の下方に食品等が置かれていると、その食品等の上に直接落下し、あるいは、滴下水の飛沫がかかる不具合があった。
【０００３】
また、特開平５−２０３３３１号公報や特開平９−１５９３４７号公報に例示されているように、庫内上部に設置されて後下方へ傾斜する露受け皿の後端部が、取り付け金具によって庫内壁面に支持される場合には、その取り付け金具はそれぞれ左右に大きく離れて配置されているため、露受け皿の後端部は大部分が庫内壁面との間に隙間が形成されているので、上記従来装置の場合とほぼ同等の不具合が生じることは避けられなかった。
【０００４】
さらに、特開平７−２１８０９９号公報や実用新案登録第２５２８８７７号公報に例示されているように、庫内上部に設置されて後下方へ傾斜する露受け皿の後端部に排水管を接続し、露受け皿に沿って流下してきた結露水を庫内から切り離して、排水管により外方へ排出するものもあるが、この場合には、排水管を設置することによって庫内容積がそれだけ狭められ、かつ、排水管内の清掃が困難であるため不衛生となりやすい等の欠点があり、また、上記実用新案登録第２５２８８７７号公報に示されているように、庫内上部に設置されて後下方へ傾斜する露受け皿の後端部が断面コ字状の第２係止部で支持されるものもみられるが、第２係止部等の形状が複雑となって、コスト的に不利な欠点があった。
【０００５】
【発明が解決しようとする課題】
本発明は、高湿度貯蔵庫等の冷蔵庫において、庫内上部に設置される露受け装置から庫内に水滴が垂れ落ちることを、簡単な構成により防止しようとするものである。
【０００６】
【課題を解決するための手段】
このため、本発明にかかる露受け装置は、冷蔵庫内の上部に設置されて下方へ傾斜する露受け皿と、同露受け皿の下端部のほぼ全幅にわたって延び、かつ、上記下端部からさらに下方へ傾斜して下部が上記冷蔵庫の内壁面に当接する接続部材とを有している。
【０００７】
すなわち、冷蔵庫内の上部に設置されて下方へ傾斜する露受け皿の下端部と冷蔵庫の内壁面とが、下方へ傾斜する接続部材により接続されていると共に、接続部材が露受け皿の下端部のほぼ全幅にわたって延びているため、露受け皿に受け止められた結露水や露受け皿の下面に生じた結露水は、露受け皿の傾斜によりそれぞれ露受け皿の上下面を伝わって露受け皿下端部へと流れ、さらに下方へ傾斜した接続部材を伝わって冷蔵庫の内壁面に導かれるので、上記結露水は冷蔵庫の内壁面上を流下することとなり、従って、結露水が露受け皿下端部から庫内へ滴下することを効果的に抑制することができる。
【０００８】
【発明の実施の形態】
以下、図面に示す本発明の各実施形態例について、同等部分にはそれぞれ同一符号を付けて説明する。
図１及び図２において、高湿度貯蔵庫等の冷蔵庫内上部に、冷蔵庫の後内壁面１に向かって下方へ傾斜する露受け皿２が設置されており、露受け皿２は図示しない庫内頂面の下方に位置する本体３と、本体３の後端に沿って取り付けられた断面略コ字状の樹脂製枠体４とから構成されている。
枠体４の下端部には、枠体４の長手方向に沿ってその全幅にわたり延び、かつ、上記下端部からさらに下方へ大きく傾斜した薄肉のひれ５が一体成形されていて、ひれ５の下端が冷蔵庫の後内壁面１に対し弾力的に当接しており、また、枠体４には、その長手方向に適当な間隔をおいて複数の窓６が形成されている。
【０００９】
上記装置において、露受け皿２の上方からその本体３に受け止められた結露水や本体３の下面に生じた結露水は、露受け皿２の傾斜によりそれぞれ本体３の上下面を伝わって後方へ流れ、本体３内の水滴は枠体４に形成された窓６を適宜通り、下方へ傾斜したひれ５の上面を水滴７のように伝わって後内壁面１に導かれ、また、本体３の下面を伝わり後方へ流れた結露水は下方へ傾斜したひれ５の下面を水滴８のように伝わって後内壁面１に導かれ、それぞれ後内壁面１上を流下する。
【００１０】
従って、露受け皿２の下端部から庫内へ結露水が滴下することは効果的に抑制されるので、冷蔵庫の後内壁面１に比較的近接して露受け皿２の下方に食品等が置かれていても、その食品等の上に露受け皿２の下端部から結露水が滴下し、あるいは、滴下水の飛沫がかかることは容易に防止することができる。
【００１１】
また、枠体４のひれ５は薄肉で弾性があるため、ひれ５の下端が冷蔵庫の後内壁面１に対し弾力的に密着しやすくて、ひれ５による結露水の上記案内作用を確実に発揮させることができると共に、構造が簡単でコストを低く抑えることができ、しかも、冷蔵庫内における露受け皿２の設置位置が前後に多少ずれても、ひれ５自身が弾力的に適宜たわんで、後内壁面１に対するひれ５下端の密着性が損なわれないという独特の長所がある。
【００１２】
なお、上記実施形態例ではひれ５が枠体４に一体成形されているが、図３のように、枠体４とは別体の弾性をそなえたひれ１０を露受け皿２の下端部に取り付け、露受け皿２の下端部から下方へ傾斜したひれ１０の下端が冷蔵庫の後内壁面１に対して弾力的に当接するようにしても、上記実施形態例と同様な作用効果を奏することができ、また、上記各実施形態例において図４に例示されているように、ひれ５、１０の長手方向に適当な間隔をおいてひれ５、１０に複数の切れ目１１を設けておけば、これらの切れ目１１を通ってひれ５、１０の上面から下面へ結露水を容易に導くことができるので、ひれ５、１０の上面から後内壁面１へ結露水を効率よく導くことができる利点がある。
【００１３】
次に、図５及び図６に示す実施形態例では、高湿度貯蔵庫等の冷蔵庫内上部に、冷蔵庫の後内壁面１に向かって下方へ傾斜する露受け皿２が設置され、露受け皿２は本体３と、本体３の後端に沿って取り付けられた断面略コ字状の枠体４とから構成されており、枠体４の長手方向に沿ってその全幅より長めに延び、かつ、下方へ大きく傾斜した保持部材２０の上部に露受け皿２の下端部が取り付けられ、保持部材２０の下部が冷蔵庫の後内壁面１に当接して固定されることにより、露受け皿２の下端部が支持されている。
【００１４】
この装置において、露受け皿２の上方からその本体３に受け止められた結露水は、露受け皿２の傾斜により本体３内を後方へ流れて、枠体４の両側端から保持部材２０の傾斜した上面に流れ出し、さらに、上記傾斜上面を下方へ伝わって、その最下部両側端から後内壁面１に導かれる一方、本体３の下面に生じた結露水は、露受け皿２の傾斜によりそれぞれ本体３の下面を伝わって後方へ流れ、さらに、保持部材２０の傾斜した下面を伝わって後内壁面１に導かれ、それぞれ後内壁面１上を流下する。
【００１５】
従って、露受け皿２の下端部から庫内へ結露水が滴下することは効果的に抑制されて、冷蔵庫内の食品等に露受け皿２の下端部から結露水が滴下し、あるいは、滴下水の飛沫がかかることは容易に防止することができ、また、保持部材２０は非常に簡単な構造であるため、保持部材２０の設置によってとくにコスト上昇を来すことはないと共に、保持部材２０の清掃も簡便であって、庫内を容易に清潔に保つことができる特色がある。
なお、この実施形態例では、保持部材が露受け皿の枠より長めに設定されているが、これらを同じ長さとしてもよいことはいうまでもない。
【００１６】
図７及び図８に示す実施形態例では、高湿度貯蔵庫等の冷蔵庫内上部に、冷蔵庫の後内壁面１に向かって下方へ傾斜する露受け皿２が設置され、露受け皿２は本体３と、本体３の後端に沿って取り付けられた断面略コ字状の枠体４とから構成されていて、枠体４には、その長手方向に適当な間隔をおいて複数の窓６が形成されている。
また、枠体４の長手方向に沿ってその全幅にわたり延び、かつ、下方へ大きく傾斜した保持部材２０の上部に露受け皿２の下端部が取り付けられ、保持部材２０の下部が冷蔵庫の後内壁面１に当接して固定されることにより、露受け皿２の下端部が支持されているが、保持部材２０の傾斜部分には、その長手方向に適当な間隔をおいて複数の丸窓３０が設けられている。
【００１７】
この装置においては、露受け皿２の上方からその本体３に受け止められた結露水は、露受け皿２の傾斜により本体３内を後方へ流れ、枠体４に形成された窓６を適宜通って保持部材２０の傾斜した上面へ容易に流れ出し、さらに、丸窓３０を通って保持部材２０の傾斜した下面を下方へ伝わり、後内壁面１へと導かれる一方、本体３の下面に生じた結露水は、露受け皿２の傾斜によりそれぞれ本体３の下面を伝わって後方へ流れ、さらに、保持部材２０の傾斜した下面を伝わって後内壁面１に導かれ、それぞれ後内壁面１上を流下する。
この場合、保持部材２０の傾斜部分に丸窓３０が設けられていても、丸窓３０の端縁が湾曲しているため、保持部材２０の上下面を伝わって下方へ流れる水滴が丸窓３０の端縁から流れ落ちることはない。
【００１８】
従って、この実施形態例は図５及び図６に示す実施形態例と同等、もしくは、それ以上の作用効果を奏することができる外、保持部材２０の傾斜部分に設けられた丸窓３０により、保持部材２０の上面から下面へ結露水を容易に案内することができるので、上記結露水を後内壁面１へ効率よく導くことができる効果もある。
【００１９】
さらに、保持部材２０が枠体４の長手方向に沿ってその全幅にわたり延びていても、保持部材２０の傾斜部分に複数の丸窓３０が設けられているため、露受け皿２の上方における冷気は、露受け皿２の枠体４と冷蔵庫の後内壁面１との間から丸窓３０を通り、露受け皿２の下方へ流通することができ、また、上方から露受け皿２内に流入した冷気は、枠体４に形成された窓６及び保持部材２０の傾斜部分に形成された丸窓３０を通って露受け皿２の下方へ流通することができるので、庫内における冷気の循環を良好にして、高い冷蔵性能を容易に保持させることができる特殊な効果がある。
【００２０】
なお、上記各実施形態例では、露受け皿の枠体に複数の窓が設けられ、及びまたは、露受け皿下端部の保持部材に複数の丸窓が設けられているが、本発明の目的を損なわない限度でこれらの窓及びまたは丸窓の形状や数を適宜変更、選定できることはいうまでもない。
【００２１】
【発明の効果】
本発明にかかる露受け装置においては、露受け皿に受け止められた結露水や露受け皿の下面に生じた結露水は、露受け皿の傾斜によりそれぞれ露受け皿の上下面に沿って露受け皿下端部へと流れ、さらに、下方へ傾斜した接続部材を伝わって冷蔵庫の内壁面に導かれて、冷蔵庫の内壁面上を流下し、結露水が露受け皿下端部から滴下することを効果的に抑制することができるので、庫内の食品等に結露水が滴下することを容易に防止することが可能となる。
【図面の簡単な説明】
【図１】本発明の実施形態例における要部側面図。
【図２】上記実施形態例の一部斜視図。
【図３】本発明の他の実施形態例における要部側面図。
【図４】本発明の他の実施形態例における一部斜視図。
【図５】本発明の他の実施形態例における要部側面図。
【図６】図５の実施形態例における一部の概略正面図。
【図７】本発明の他の実施形態例における要部側面図。
【図８】図７の実施形態例における一部の概略正面図。
【符号の説明】
１    内壁面
２    露受け皿
５    ひれ
６    窓
１０  ひれ
１１  切れ目
２０  保持部材
３０  丸窓
【図１】
0003640519.tif 000002
【図２】
0003640519.tif 000003
【図３】
0003640519.tif 000004
【図４】
0003640519.tif 000005
【図５】
0003640519.tif 000006
【図６】
0003640519.tif 000007
【図７】
0003640519.tif 000008
【図８】
0003640519.tif 000009